(57)【特許請求の範囲】
【請求項１】
基台と、この基台上に立設され水平フレームを有する支持脚と、上記水平フレームに水平回転軸を介して垂直面内において揺動可能に支持された振り子状の支持アームと、この支持アームによって支持されレーザ発光素子およびその光軸上において軸線を水平にして配置されたロッドレンズを含むレーザ投射器とを有してなるレーザ墨出し器において、
上記基台上には、電源スイッチと、操作ノブの操作によって駆動され上記電源スイッチをオン、オフするスイッチ操作部材が設けられ、
上記支持アームは、磁気ダンパを構成する制動板に凸部または凹部からなる係合部が形成されることによって重量バランスが予め一方向に片寄せられており、
上記スイッチ操作部材には、上記電源スイッチをオンすることによって上記係合部から離間して支持アームを非ロックとし、上記電源スイッチをオフすることによって上記係合部に係合して支持アームをロックするロック部材が設けられ、
上記片寄ったバランスを調整するバランス調整手段を有していることを特徴とするレーザ墨出し器。
【請求項２】
水平フレームによる支持アームの支持点よりも上方に、支持アームの重量バランス調整手段が設けられていることを特徴とする請求項１記載のレーザ墨出し器。
【請求項３】
支持アームは、重量バランス調整用硬化材料を注入することができるポケットを有していることを特徴とする請求項１記載のレーザ墨出し器。
【請求項４】
ポケットは、水平フレームによる支持アームの支持点よりも上方に設けられていることを特徴とする請求項３記載のレーザ墨出し器。
【請求項５】
重量バランス調整用硬化材料は、揮発成分の少ない硬化樹脂である請求項３記載のレーザ墨出し器。
【発明の詳細な説明】
【０００１】
【発明の属する技術分野】
本発明は、建築作業時や部屋の間仕切りなどを行う際、レーザ投射器より例えば天井から壁面にかけて通り芯（たち）と呼ばれる基準線を照射するレーザ墨出し器に関する。
【０００２】
【従来の技術】
レーザ光は、本来横断面が楕円形の光であるが、コリメートレンズおよび軸線をその光軸に対して水平としたロッドレンズを通すことにより、一条の鉛直光線となる。
レーザ墨出し器は、このような鉛直光線を投射するレーザ投射器を利用したもので、水平回転軸に振り子状に軸支された支持アームを備え、この支持アームの所定位置にレーザ投射器が支持されている。上記水平回転軸による支持アームの軸支機構をジャイロと称している。
【０００３】
レーザ投射器が支持アームの所定位置に支持されていても、レーザ投射器を含む支持アーム全体のバランスがとれていなければ、レーザ投射器によって壁面に投射されるレーザ光が鉛直とはならず、墨出し器として用をなさない。そこで、従来は、上記ジャイロを組み上げた状態でほぼバランスがとれるようにし、僅かなアンバランスについては、バランス調整手段によって調整している。特許第２７７２５１１号公報に記載されているものはその一つで、支持アームの縦中心線が鉛直垂下状態となるように調整するためのバランス部材、例えば金属製の棒や調整ねじなどを位置調整可能に支持アームに設けている。
また、従来のバランス調整手段は、上記特許公報記載のものも含めて、支持アームの水平回転軸よりも下方に配置されている。
【０００４】
【発明が解決しようとする課題】
従来のレーザ墨出し器によれば、上記のようにジャイロを組み上げた状態でほぼバランスがとれるようにしているため、ジャイロを組み上げた状態でのアンバランスの向きがどの向きになるか特定されず、よって、バランス調整手段は、少なくとも２方向に対応して調整できるように２個のバランス調整手段を設け、あるいは支持アームを水平回転軸に直交する方向の水平方向に貫いて位置調整可能にバランス調整手段を設ける必要があり、製作が面倒であるとともに、バランス調整の向きが特定されないために調整も面倒になる難点があった。
【０００５】
また、支持アームは、水平フレームを有する支持脚の上記水平フレームに、水平回転軸を介して揺動可能に支持されるが、従来のレーザ墨出し器によれば、支持アームの水平回転軸よりも下方に配置されているため、支持アームのバランスを調整しようとすると、ドライバーその他の工具を上記支持脚の間からバランス調整手段まで延ばす必要があり、上記支持脚がブラインドとなってバランス調整作業がやりにくい難点があった。
【０００６】
さらに、従来のバランス調整手段は棒やねじであって、この棒やねじを支持アームに対して移動させることによってバランス調整するようになっているため、調整する際には支持アームが移動しないようにこれをロックして上記棒やねじの位置を微調整する必要があり、微調整の効果を確認するためにロックを解除して投影されている光線の鉛直度を確認し、鉛直度がでていないときは再び支持アームをロックしてバランス調整し、再度その効果を確認する、というように調整作業が面倒であるという難点がある。
また、棒やねじなどを用いたバランス調整手段は、棒やねじが着脱可能な、あるいは移動可能な機械部品であるため、何らかの手段で固定しても、落下等の大きな衝撃でバランス調整手段である上記棒やねじなどが弛んだり移動したりして、バランスを保つことができなくなる恐れがある。
【０００７】
本発明は以上のような従来技術の問題点を解消するためになされたもので、支持アームのアンバランスの向きが決まっていて、一方向から調整すればよいようにしてバランス調整を容易にしたレーザ墨出し器を提供することを目的とする。
本発明はまた、バランス調整手段への工具の接近を容易にすることにより、バランス調整を容易にしたレーザ墨出し器を提供することを目的とする。
本発明はまた、支持アームをロックすることなく、投影されている光線を見ながらバランスを微調整することを可能にして、バランス調整を容易にしたレーザ墨出し器を提供することを目的とする。
【０００８】
【課題を解決するための手段】
上記の目的を達成するために、請求項１記載の発明は、基台と、この基台上に立設され水平フレームを有する支持脚と、上記水平フレームに水平回転軸を介して垂直面内において揺動可能に支持された振り子状の支持アームと、この支持アームによって支持されレーザ発光素子およびその光軸上において軸線を水平にして配置されたロッドレンズを含むレーザ投射器とを有してなるレーザ墨出し器において、上記基台上には、電源スイッチと、操作ノブの操作によって駆動され上記電源スイッチをオン、オフするスイッチ操作部材が設けられ、上記支持アームは、磁気ダンパを構成する制動板に凸部または凹部からなる係合部が形成されることによって重量バランスが予め一方向に片寄せられており、上記スイッチ操作部材には、上記電源スイッチをオンすることによって上記係合部から離間して支持アームを非ロックとし、上記電源スイッチをオフすることによって上記係合部に係合して支持アームをロックするロック部材が設けられ、上記片寄ったバランスを調整するバランス調整手段を有していることを特徴とする。
【００１０】
請求項２記載の発明は、請求項１記載の発明において、水平フレームによる支持アームの支持点よりも上方に、支持アームの重量バランス調整手段が設けられていることを特徴とする。
【００１１】
請求項３記載の発明は、請求項１記載の発明において、支持アームは、重量バランス調整用硬化材料を注入することができるポケットを有していることを特徴とする。
上記ポケットは、請求項４記載の発明のように、水平フレームによる支持アームの支持点よりも上方に設けるとよい。
上記重量バランス調整用硬化材料は、請求項５記載の発明のように、揮発成分の少ない硬化樹脂とするとよい。
上記ポケットの内面には、注入された重量バランス調整用硬化材料とポケットおよび支持アームとの一体性を向上させるために適宜の凹凸を形成するのが望ましい。
【００１２】
【発明の実施の形態】
以下、図面を参照しながら本発明にかかるレーザ墨出し器の実施の形態について説明する。
図１〜図４において、レーザ墨出し器１はほぼ円板状に形成された基台１０と、この基台１０上に被せられるケースカバー３０とを有してなる。基台１０およびケースカバー３０はともに合成樹脂からなるが、基台１０の安定性を高めるために、基台１０の底面には、同じ高さの円錐状突起１１１が周囲に等間隔に配置された底部基板１１がねじ止めされている。
【００１３】
図３、図４に示すように、基台１０の上面側には、前後左右４本の脚で門型に形成された支持脚１２が取り付けられている。支持脚１２の上端部は水平フレーム１２１となっており、この水平フレーム１２１に水平回転軸１３を介して支持アーム１４が振り子状に揺動可能に取り付けられている。水平回転軸１３は例えば図４においてその紙面と直交する方向（図３の断面図では左右方向）に配置されている。したがって、支持アーム１４は図４の紙面と平行な垂直面内で、正面から見て左右方向に振り子状に揺動することができる。
【００１４】
この実施の形態では、支持アーム１４はアルミダイキャストからなり、水平回転軸１３に対する軸受部１４１の上方には、レーザ投射器２０を取り付けるためのブラケット部１４２が一体に形成されている。支持アーム１４とこの支持アーム１４にレーザ投射器２０および後述の制動板１５等を取り付けてなる揺動部分全体の重心は、水平回転軸１３よりも下方に設定されている。図３に示すように、ブラケット部１４２には、レーザ投射器２０を斜め上向きとし、ケースカバー３０の角部と対向させて取り付けるための傾斜面が形成されている。
【００１５】
レーザ投射器２０は、図５（ａ）（ｂ）に示すように、発光ユニット２１と、同発光ユニット２１の正面開口部に取り付けられたロッドレンズ２２とを備えている。発光ユニット２１のホルダー２１１内には、レーザダイオード２１２とコリメータレンズ２１３が収納されており、ホルダー２１１の後端にはレーザダイオード２１２の駆動回路基板２１４が取り付けられている。ロッドレンズ２２は、その軸線がレーザダイオード２１２から発光されるレーザ光の光軸に対して直角になるように、レンズホルダー２２１を介して発光ユニット２１に水平方向に取り付けられている。レーザダイオード２１２から射出されるレーザ光は横断面形状が楕円形の拡散光で、このレーザ光はコリメータレンズ２１３で一定の大きさの平行光束となり、さらにロッドレンズ２２によって垂直方向にのみ引き延ばされたレーザ光となる。
【００１６】
支持アーム１４の下部には銅などの非磁性金属板からなる制動板１５が取り付けられている。この実施の形態では、図３に示すように、制動板１５は逆Ｕ字状に形成されており、その一方の側板１５１が磁気ダンパの構成要素となっている。他方の側板１５２は後述するロック手段の被ロック側となっている。基台１０上には、Ｕ字状に折り曲げられ各折り曲げ辺の相対向する内側面にマグネット１６１、１６１がそれぞれ取り付けられたヨーク１６が立設されている。対をなすマグネット１６１、１６１間に形成されている磁気ギャップ内に制動板１５の一方の側板１５１が振り子運動するように配置されている。ヨーク１６、マグネット１６１、１６１、上記側板１５１によって周知の磁気ダンパを構成している。すなわち、支持アーム１４の揺動とともに側板１５１が上記磁気ギャップ内を移動すると、この移動速度に応じた誘導電流が側板１５１に流れ、この誘導電流によって上記移動の向きとは逆向きの駆動力を発生させるため、支持アーム１４が鉛直方向に向いた姿勢で円滑に静止する。
【００１７】
ケースカバー３０のレーザ投射器２０と対向する角部には、レーザ光を外部に照射するための開口部３１が同ケースカバー３０の上面から側面にかけて斜めに形成されている。図３に示すように、上記開口部３１に透明なカバーガラス３１１と遮光カバー３１２とが嵌め込まれており、遮光カバー３１２にレーザ出射窓３２が形成されている。レーザ出射窓３２は、通り芯としてのレーザ光が部屋の天井から壁面にかけて照射されるように上下方向のスリット孔からなるが、その相対向する長辺３２１、３２１には下方に向かって狭まるように僅かな傾斜角が付けられ、正面側から見て逆三角形になっている。
【００１８】
ケースカバー３０の上面には電源オンオフ用の回転式操作ノブ３３が設けられている。この操作ノブ３３は例えば合成樹脂で一体成形され、回転軸３３１を一体に有している。ケースカバー３０の上面には凹嵌部が形成され、この凹嵌部内に上記操作ノブ３３が位置している。ケースカバー３０内には回転駆動軸４３が上下方向に配置されている。回転駆動軸４３は後で説明する軸受部によってその軸線の周りに回転可能に支持されている。回転駆動軸４３の上端部には上記操作ノブ３３の回転軸３３１が圧入等の手段によって一体に連結されている。図６に示すように、基台１０上にはマイクロスイッチなどの機械的接点を有する電源スイッチ４１が取り付けられるとともに、カムレバー４２が配置されている。カムレバー４２は、電源スイッチ４１をオンオフ操作するスイッチ操作部材をなしていて、上記回転駆動軸４３の外周に嵌合されて一体化され、結果的には、回転駆動軸４３を介して操作ノブ３３の回転軸３３１と実質一体に連結されている。従って、操作ノブ３３を水平面内において回転操作すると、カムレバー４２も水平面内において回転するようになっている。
【００１９】
前記支持脚１２の背面側には、回転駆動軸４３を垂直方向に保持するための保持手段が設けられている。この保持手段は、支持脚１２の背面側の上部および下部に水平に張り出して形成された軸受部１２３、１２４からなる。上側の軸受部１２３には回転駆動軸４３が貫通する軸受孔が形成され、下側の軸受部１２４には回転駆動軸４３を受け入れるほぼＵ字状の軸保持溝が形成されている。このようにして、回転駆動軸４３はその軸線を中心に回転可能に支持されている。
【００２０】
上記カムレバー４２の一端側には電源スイッチ４１の板ばね片４１１に対して作用する突起４２１（図６参照）が形成されている。カムレバー４２の他端側には、このカムレバー４２を電源オン位置と電源オフ位置とに選択的に付勢保持するばね手段が設けられている。図示の実施の形態では、上記ばね手段としてコイルばね４４が用いられている。コイルばね４４はいわゆる思案ばねであって、カムレバー４２の他端と、基台１０上に形成されているボス１１３との間に装着されており、その死点、すなわち、回転駆動軸４３の中心とボス１１３の中心とを結ぶ線をカムレバー４２の他端とコイルばね４４との連結点が乗り越えることによってカムレバー４２を図６において時計方向または反時計方向の何れかの向きに回転付勢する。図６に示す動作態位では、コイルばね４４がカムレバー４２を電源オフ側である時計方向に回転付勢し電源オフ状態を保持している。
【００２１】
カムレバー４２の上記突起４２１がある方の一端側には、支持アーム１４をロックすることができるロック部材４５が連結されている。基台１０上には、上記ロック部材４５を支持アーム１４に向かって前後方向に摺動させるガイド４６が設けられている。カムレバー４２とロック部材４５は、カムレバー４２に立設されているピン４７１と、ロック部材４５に穿設されている長孔４７２とによって連結されており、これにより、カムレバー４２の回転運動がロック部材４５に直線運動として伝達されるようになっている。
【００２２】
ロック部材４５の先端（支持アーム１４側の一端）には、一つの谷部４５１を挟んでその両側に連接された二つの山部４５２、４５２が形成されている。これに対して支持アーム１４側の前記他方の側板１５２背面側（図６において左側面側）には、上記谷部４５１に係合可能な係合部１５３が設けられている。
ケースカバー３０の背部には電池収納部３４が形成されており、電池収納部３４の開口部には電池カバー３５が着脱自在に取り付けられている。
【００２３】
いま、操作ノブ３３を図２において反時計方向に回転操作してオン位置にすると、これに伴ってカムレバー４２が図６において同じく反時計方向に回転し、コイルばね４４がその死点を乗り越えた時点でカムレバー４２がコイルばね４４によって反時計方向に回転付勢され、カムレバー４２の突起４２１が電源スイッチ４１の板ばね片４１１を押し、電源スイッチ４１がオンになる。これと同時にロック部材４５が図６に鎖線で示す位置まで後退し、支持アーム１４側の係合部１５３を釈放して支持アーム１４を非ロック状態にする。
【００２４】
これに対して、操作ノブ３３を図２において時計方向に回転操作してオフ位置にすると、カムレバー４２が図６において時計方向に回転し、コイルばね４４がその死点を乗り越えた時点で図６に示すようにカムレバー４２がコイルばね４４によって時計方向に回転付勢され、カムレバー４２の突起４２１が電源スイッチ４１の板ばね片４１１から離間し、電源スイッチ４１がオフになる。これと同時に、ロック部材４５が前進して係合部１５３を捕捉し、支持アーム１４をロック状態にする。
【００２５】
なお、ロック部材４５の先端には一つの谷部４５１と二つの山部４５２、４５２が設けられているため、レーザ墨出し器１が傾いて、係合部１５３が谷部４５１からずれている場合には、係合部１５３が何れか一方の山部４５２の傾斜部分で捉えられ、結局は係合部１５３が谷部４５１に嵌まって支持アーム１４がロックされることになる。
【００２６】
さて、上記実施の形態において特徴的な構成の一つは、上記支持アーム１４は、重量バランスが予め一方向に片寄せられており、この片寄ったバランスを調整するバランス調整手段５０が上記支持アーム１４に設けられていることである。支持アーム１４の重量バランスを予め一方向に片寄せる具体的手段として、図示の実施の形態では、図６に示すように、前述の凸部からなる係合部１５３を支持アーム１４の中心線よりも片方にずらしている。上記係合部１５３は、逆Ｕ字形制動板１５の他方の側板１５２に設けられ、制動板１５は支持アーム１４と一体に設けられている。上記のように、係合部１５３を支持アーム１４の中心線よりも片方にずらすことにより、支持アーム１４、レーザ投光器２０、制動板１５を含む揺動体全体の重量バランスが崩れ、予め一方向に、すなわち係合部１５３が設けられた側が下がる向きに傾く。
【００２７】
一方、バランス調整手段５０は、前記水平フレーム１２１による支持アーム１４の支持点よりも上方に設けられた前記ブラケット部１４２の側面であって、上記揺動体全体の重量のアンバランスを修正する側の側面に設けられている。図示の例では、上記揺動体をアンバランスにする係合部１５３がレーザ墨出し器１を正面側から見て右側にずらして設けられているため、これによって生じる上記揺動体の重量アンバランスを修正するバランス調整手段５０は、上記ブラケット部１４２の左側面側に設けられている。図示の例では、バランス調整手段５０はねじになっていて、これを回転させて進退させることにより上記揺動体のバランスを調整するようになっている。
【００２８】
もっとも、本願発明において、バランス調整手段５０は、ねじに限定されるものではなく、スライド可能なピン、重りなどでもよく、さらに、後で説明するように、重量バランス調整用の硬化材料であってもよい。
また、上記支持アーム１４を含む揺動体の重量バランスを予め一方向に片寄らせるための係合部１５３は必ずしも凸部でなくてもよく、凹部であってもよい。凹部を形成することによっても揺動体の重量バランスを予め一方向に片寄らせることができるし、前記ロック部材４５は、上記凹部に係合して支持アーム１４の揺動をロックする凸部を設ければよい。ただし、係合部１５３として凹部を形成した場合は、バランス調整手段５０を凸部を形成した場合とは逆側に設けることになる。
【００２９】
なお、支持アーム１４、レーザ投射器２０を含む揺動体のバランス調整は、基準鉛直線が記された壁に向かってレーザ墨出し器のレーザ投射器からレーザ光を投射し、投射されたレーザ光が上記基準鉛直線と一致するまでバランス調整手段によって調整する。揺動体のバランスを調整しておけば、レーザ墨出し器を設置する床面等が傾いていても、揺動体は鉛直状に垂下した一定の姿勢をとり、レーザ投射器から壁面に投射されたレーザ光は鉛直線を描くことになる。
【００３０】
以上説明した実施の形態によれば、レーザ投射器２０を支持する支持アーム１４は、係合部１５３を支持アーム１４の中心線よりも片方にずらして設けることにより重量バランスが予め特定の方向に意図的に片寄せられているため、バランス調整手段５０は特定の方向に意図的に片寄った上記重量バランスを特定の方向から調整すればよく、バランス調整手段の構成が簡単になるとともに、バランス調整作業が簡単になる利点がある。
しかも、上記係合部１５３は、支持アーム１４を揺動不能にロックするためのロック部材４５が係合するようにして、支持アーム１４のロック機構の一部を兼ねているため、支持アーム１４の重量バランスを意図的に片寄らせるための部材を特別に設ける必要がなく、この点からもバランス調整手段の構成が簡単になる利点がある。
【００３１】
上記実施の形態によればまた、水平フレーム１２１による支持アーム１４の支持点よりも上方に、支持アーム１４の重量バランス調整手段５０が設けられているため、ドライバーその他の工具を用いて支持アーム１４のバランスを調整しようとする際に、上記水平フレーム１２１やこれを支持する支持脚１２が邪魔になることはなく、バランス調整作業がやりやすくなる利点がある。
【００３２】
バランス調整手段は、重量バランス調整用の硬化材料であってもよい旨先に述べた。そこで次に、重量バランス調整手段として硬化材料を用いる実施の形態について説明する。図７において、部号１２は支持脚、１３は水平回転軸、１４は支持アーム、１５は制動板、２０はレーザ投射器、２２はロッドレンズ、１２１は水平フレーム、１４２はブラケット部をそれぞれ示しており、これらの各部材は前記実施の形態と同様に構成されている。この実施の形態が前記実施の形態と異なっている点は、支持アーム１４が、より正確には支持アーム１４のブラケット部１４２が、重量バランス調整用硬化材料５５を注入することができるポケット５２、５４を有していることである。支持アーム１４の重量バランス調整手段としての重量バランス調整用硬化材料５５は、前述の実施の形態における重量バランス調整手段と同様に、水平フレーム１２１による支持アーム１４の支持点よりも上方であり、かつ、レーザ投射器の下方に設けられている。図７の例では、正面側から見てブラケット部１４２の左側面にポケット５２が、右側面にポケット５４が設けられている。
【００３３】
図７に示す実施の形態によれば、基準鉛直線が記された壁に向かってレーザ投射器２０からレーザ光を投射したまま、投射されたレーザ光が上記基準鉛直線と一致するまで、重量バランス調整用硬化材料５５をポケット５２、５４のうちの一方に注入しながら、支持アーム１４の重量バランスを連続的に調整することができる。前述の実施の形態のように、重量バランス調整手段としてねじやピンなどを用いた場合は、支持アーム１４をロック状態にして上記ねじやピンなどの位置を調整した後、レーザ投射器２０からの投射光が基準鉛直線と一致しているかを確認し、一致していない場合は再度調整して投射光と基準鉛直線とが一致しているかを確認する、というように、調整とチェックを繰り返し行う必要があるが、図７に示す実施の形態によれば、支持アーム１４に無接触で調整することができるため、レーザ投射器２０からの投射光と基準鉛直線とが一致しているかをリアルタイムで確認しながら連続的に調整することができ、能率的な、かつ、精度の良い重量バランス調整が可能である。
【００３４】
図７に示す実施の形態では、支持アーム１４の左右両側にポケット５２、５４が設けられているが、前述の実施の形態のように支持アーム１４の重量バランスが予め一方向に片寄せられている場合は、このアンバランスな状態を打ち消そうとする側にのみポケットを設けても差し支えない。
また、支持アーム１４の重量バランス調整のためのポケットは、支持アーム１４の支持点よりも下方にあってもよい。ポケットが支持アーム１４の支持点よりも下方にあっても、上に述べたように、能率的で精度の良い重量バランス調整が可能である。
【００３５】
重量バランス調整用硬化材料５５としては、経時的に重量が変化することのないように、揮発成分の少ない硬化樹脂を用いるとよい。例えば、紫外線硬化型樹脂や硬化型のシリコン樹脂などを用いるとよい。できれば瞬時に硬化するタイプのものが望ましい。さらに、硬化材料の比重を高めるために、例えば金属粒子などを混合するとよい。また、例えば金属粒子などの混合比率を異ならせることによって比重の異なる数種類の重量バランス調整用硬化材料を用意しておき、バランス調整の当初は比重の大きい硬化材料で調整し、次に比重の小さい硬化材料で微調整するようにしてもよい。
上記ポケットの内面には、注入された重量バランス調整用硬化材料５５とポケットおよび支持アーム１４との一体性を向上させるために適宜の凹凸を形成するのが望ましい。
【００３６】
【発明の効果】
請求項１記載の発明によれば、レーザ投射器を揺動可能に支持する支持アームは、重量バランスが予め特定の方向に意図的に片寄せられているため、バランス調整手段は特定の方向に意図的に片寄った上記重量バランスを特定の方向から調整すればよく、バランス調整手段の構成が簡単になるとともに、バランス調整作業が簡単になる利点がある。
基台上には、電源スイッチと、操作ノブの操作によって駆動され上記電源スイッチをオン、オフするスイッチ操作部材とが設けられ、支持アームは、凸部または凹部からなる係合部が形成されることによって重量バランスが予め一方向に片寄せられ、この片寄ったバランスを調整するバランス調整手段を有し、上記スイッチ操作部材には、上記電源スイッチをオンすることによって上記係合部から離間して支持アームを非ロックとし、上記電源スイッチをオフすることによって上記係合部に係合して支持アームをロックするロック部材が設けられているため、支持アームの重量バランスを意図的に片寄らせるための部材を特別に設ける必要がなく、この点からもバランス調整手段の構成が簡単になる利点がある。
【００３８】
請求項２記載の発明によれば、水平フレームによる支持アームの支持点よりも上方に、支持アームの重量バランス調整手段が設けられているため、工具などを用いて支持アームの重量バランスを調整しようとする際に、上記水平フレームやこれを支持する支持脚が邪魔になることはなく、バランス調整作業がやりやすくなる利点がある。
【００３９】
請求項３記載の発明によれば、支持アームに、重量バランス調整用硬化材料を受けるポケットを設けたため、基準鉛直線が記された壁に向かってレーザ投射器からレーザ光を投射したまま、投射されたレーザ光が基準鉛直線と一致するまで、支持アームに接触することなく、重量バランス調整用硬化材料を上記ポケットに注入しながら、支持アームの重量バランスを連続的に調整することができ、能率的な、かつ、精度の良い重量バランス調整を行うことができる。また、ポケットに注入された硬化材料は、硬化してポケットと一体化するため、レーザ墨出し器を落下させてしまった場合などのように大きな衝撃が加わっても、外れたり動いたりすることがなく、支持アームのバランスが崩れることはない。
請求項４記載の発明のように、上記ポケットを、水平フレームによる支持アームの支持点よりも上方に設ければ、支持アームの重量バランスを調整しようとする際に、水平フレームやこれを支持する支持脚が邪魔になることはなく、バランス調整作業がやりやすくなる利点がある。
また、請求項５記載の発明のように、重量バランス調整用硬化材料を、揮発成分の少ない硬化樹脂とすれば、バランス調整後に経時的にバランスが崩れることを防止することができる。
【図面の簡単な説明】
【図１】本発明にかかるレーザ墨出し器の実施の形態を示す外観正面図である。
【図２】同上平面図である。
【図３】図１中の線ＩＩＩ−ＩＩＩに沿う側面断面図である。
【図４】上記実施の形態の正面断面図である。
【図５】上記実施の形態中のレーザ投射器の（ａ）は平面図、（ｂ）は側面断面図である。
【図６】上記実施の形態中のスイッチ機構および支持アームロック機構部分の平面図である。
【図７】本発明にかかるレーザ墨出し器の別の実施の形態を示す要部正面図である。
【符号の説明】
１      レーザ墨出し器
１０    基台
１２    支持脚
１３    水平回転軸
１４    支持アーム
２０    レーザ投射器
２２    ロッドレンズ
３３    操作ノブ
４１    電源スイッチ
４５    ロック部材
５５    バランス調整手段
５２    ポケット
５４    ポケット
５５    重量バランス調整用硬化材料
１２１  水平フレーム
１５３  凸部
２１２  レーザ発光素子
【図１】
0004215870.tif 000002
【図２】
0004215870.tif 000003
【図３】
0004215870.tif 000004
【図４】
0004215870.tif 000005
【図５】
0004215870.tif 000006
【図６】
0004215870.tif 000007
【図７】
0004215870.tif 000008